(57)【要約】【課題】ユーザが最も良く視聴する時間帯などに自動的に起動させることができる光ディスク再生装置を提供する。【解決手段】所定時間単位で主電源をオンしている時間帯の部分を時間的にタイマによりカウントし、それらのカウント値に基づいて視聴時間帯を統計して取得する。主電源への電源オフ操作がされたとき、カウント値が最大カウント値または閾値以上のカウント値になるときの時間帯の開始時刻で主電源をオンするようにタイマに対して開始時刻を設定し、タイマを計時動作させた後、主電源をオフさせる。タイマにより主電源がオンされたとき、リジューム情報が有れば、当該リジュームの部分で一時停止状態に設定し、待機状態にする。これにより、最も良く視聴している時間帯、または比較的良く視聴している時間帯に、起動処理待ちやローディング待ちをせずに直ぐに視聴することができる。【選択図】図５
2009026421.tif 000002
【特許請求の範囲】
【請求項１】
光ディスクに記録された情報を再生する光ディスク再生装置において、
所定時間単位で、装置の主電源をオンしている時間帯の部分を時間的にカウントし、それらのカウント値に基づいて視聴時間帯を統計し取得する視聴時間帯統計処理部と、
前記主電源への電源オフ操作がされたとき、前記カウント値が最大カウント値または閾値以上のカウント値になるときの時間帯の開始時刻で前記主電源がオンするようにタイマに対して前記開始時刻を設定してタイマを計時動作させた後、前記主電源をオフさせる主電源オフ処理部と、
前記タイマにより前記主電源がオンされたとき、リジューム情報が有れば、当該リジュームの部分で一時停止状態に設定する主電源オン処理部と、
前記タイマにより主電源がオンされてから所定時間以上、一度もキー操作がされていないと判定したとき、前記主電源をオフさせる主電源自動オフ処理部と、を備えたことを特徴とする光ディスク再生装置。
【請求項２】
前記視聴時間帯統計処理部は、所定時間毎のタイマ割込みが発生したとき、装置の主電源がオンされているか否かを判定する主電源オン判定手段と、前記主電源がオンされていると判定されたとき、現在の時間帯の部分を時間的に前記タイマによりカウントアップさせるカウントアップ手段と、前記タイマ割込みが発生してから所定時間経過したとき、前記現在の時間帯に対応させて前記カウントアップによるカウント値をメモリに格納させるカウント値格納手段とを有することを特徴とする請求項１に記載の光ディスク再生装置。
【請求項３】
前記主電源オフ処理部は、前記主電源への電源オフ操作がされたとき、前記メモリから最大カウント値または所定の閾値以上のカウント値になる時間帯の開始時刻を検出する開始時刻検出手段と、前記開始時刻に前記主電源をオンするように前記タイマに対して前記開始時刻を設定して前記タイマを計時動作させる主電源オン時刻設定手段と、前記オン時刻設定が完了した後、前記主電源をオフさせる主電源オフ手段とを有することを特徴とする請求項１に記載の光ディスク再生装置。
【請求項４】
前記主電源オン処理部は、前記タイマにより計時されている時刻が前記開始時刻になることにより、前記主電源がオンされたか否かを判定する主電源オン判定手段と、前記タイマにより主電源がオンされたと判定されたとき、メモリにリジューム情報が有るか否かを判定するリジューム情報判定手段と、前記リジューム情報が有ると判定されたとき、光ディスクに対する再生を開始し、一時停止状態に設定する一時停止状態設定手段とを有することを特徴とする請求項１に記載の光ディスク再生装置。
【請求項５】
前記主電源自動オフ処理部は、前記主電源がオンされてから所定時間が経過したか否かを判定する電源オン時間経過判定手段と、前記主電源がオンされてから所定時間が経過したと判定されたとき、前記主電源がオンになった要因は前記タイマにより計時されている時刻が前記開始時刻になることによるものであったか否かを判定する主電源オン要因判定手段と、前記主電源がオンになった要因は前記タイマにより計時されている時刻が前記開始時刻になることによるものであったと判定されたとき、前記主電源がオンしてから一度もキーが押下されていないか否かを判定するキー押下判定手段と、前記主電源がオンしてから一度もキーが押下されていないと判定されたとき、前記主電源をオフさせる主電源オフ手段とを有することを特徴とする請求項１に記載の光ディスク再生装置。
【発明の詳細な説明】
【技術分野】
【０００１】
本発明は、光ディスクに記録された情報を再生する光ディスク再生装置に関する。
【背景技術】
【０００２】
ユーザは、ＤＶＤなどの光ディスクに記録された情報を視聴したい場合、光ディスク再生装置の主電源をオンし、光ディスク再生装置に光ディスクを挿入する。光ディスク再生装置では、挿入された光ディスクに記録されているディスク情報を読み出して、本編情報を再生可能な状態に持って行くローディングが行われ、ディスプレイ装置にオープニング画面を表示させる。
【０００３】
ところで、ユーザによっては、毎日のようにテレビ番組を視聴するように、光ディスクに記録された光ディスク再生装置を使用する場合がある。このような場合、ユーザは、リモコンの電源キーを押下して、光ディスク再生装置の主電源をオンして、光ディスク再生装置を起動処理させ、更に光ディスク再生装置に光ディスクが挿入されている場合には、光ディスクに対するローディングを行って待機状態にしている。なお、光ディスクが挿入されていない場合は、主電源がオンされると、光ディスク再生装置は起動処理を行って待機状態になる。
【特許文献１】特開平６−４１８６号公報
【特許文献２】特開平７−９８９７０号公報
【特許文献３】特開２００４−３４９９４６号公報
【発明の開示】
【発明が解決しようとする課題】
【０００４】
しかし、このような場合、一日のうちで、光ディスク再生装置を何回か使用しているうちに最も良く使用される時間帯が生じて来るようになる。したがって、ユーザにとって、光ディスク再生装置を最も良く使用する時間帯に自動的に装置の主電源がオンするように出来れば便利である。
【０００５】
そこで、使用する光ディスク再生装置にオンタイマ機能が備えていれば、光ディスク再生装置を最も良く使用する時間帯、即ち光ディスクの情報を再生して、ユーザが最も良く視聴する時間帯などに、光ディスク再生装置を起動するには、リモコンなどを操作してオンタイマ機能を、前記最も良く視聴する時間帯の開示時刻に設定し、これにより、その開始時刻に光ディスク再生装置を起動させることもできるが、オンタイマ機能に対する開始時刻の設定操作が面倒であり、また、オンタイマ機能を備えていない光ディスク再生装置では、最も良く使用する時間帯であっても、自動的に起動させることができないと言う課題があった。また、自動的ではなくユーザのリモコン操作などによって、光ディスク再生装置をさせる場合、前述したように、起動処理待ちやローディング待ちがあるので、ユーザは光ディスクの情報を視聴したいときに、直ぐに視聴することができないと言う課題が生じる。
【０００６】
なお、特許文献１の従来技術では、情報処理装置の電源を遮断した時点から所定の時間が経過した時、電源を自動的に投入すると共に、情報処理装置の電源切断時点の使用状態を示すデータをメモリから読み出して、元の使用状態に復帰させるものであるが、ユーザが最も良く視聴する時間帯などに光ディスク再生装置を自動的に起動させるようにしたものではない。
【０００７】
また、特許文献２の従来技術では、ＶＴＲのスタンバイモードをマイコンが監視し、その状態が一定期間継続した時に、ＶＴＲの電源を自動的にオフにするものであるが、この従来技術も、ユーザが最も良く視聴する時間帯などに光ディスク再生装置を自動的に起動させるようにしたものではない。
【０００８】
また、特許文献３の従来技術は、ユーザのテレビ視聴時間帯を解析し、この解析結果を利用して電源のオン動作を制御することにより、ユーザの視聴時間帯に合せて自動的に電源をオンするものであるが、光ディスク再生装置に関するものではない。
【０００９】
本発明は、上記のような課題を解決するためになされたもので、ユーザが最も良く視聴する時間帯などに自動的に起動させることができる光ディスク再生装置を提供することを目的とする。
【課題を解決するための手段】
【００１０】
上記目的を達成するために、請求項１の発明は、所定時間単位で装置の主電源をオンしている時間帯の部分を時間的にカウントし、それらのカウント値に基づいて視聴時間帯を統計し取得する視聴時間帯統計処理部と、前記主電源への電源オフ操作がされたとき、前記カウント値が最大カウント値または閾値以上のカウント値になるときの時間帯の開始時刻で前記主電源がオンするようにタイマに対して前記開始時刻を設定してタイマを計時動作させた後、前記主電源をオフさせる主電源オフ処理部と、前記タイマにより前記主電源がオンされたとき、リジューム情報が有れば、当該リジュームの部分で一時停止状態に設定する主電源オン処理部と、前記タイマにより主電源がオンされてから所定時間以上、一度もキー操作がされていないと判定したとき、前記主電源をオフさせる主電源自動オフ処理部とを備えたことを特徴とする光ディスク再生装置を提供する。
【００１１】
この構成においては、所定時間単位で装置の主電源をオンしている時間帯の部分が時間的にカウントされ、それらのカウント値に基づいて視聴時間帯が統計して取得される。主電源への電源オフ操作がされたとき、カウント値が最大カウント値または閾値以上のカウント値になるときの時間帯の開始時刻で主電源がオンするようにタイマに対して開始時刻が設定されタイマが計時動作された後、主電源がオフされる。タイマにより主電源がオンされたとき、リジューム情報が有れば、当該リジュームの部分で一時停止状態に設定される。タイマにより主電源がオンされてから所定時間以上、一度もキー操作がされていないと判定したとき、主電源はオフされる。
【００１２】
この構成によれば、ユーザが最も良く視聴している時間帯、または比較的良く視聴している時間帯に、光ディスク再生装置を自動的に起動させることができ、これにより、ユーザは、煩わしい操作をしなくても、最も良く視聴している時間帯、または比較的良く視聴している時間帯に、起動処理待ちやローディング待ちをせずに、直ぐに光ディスクの情報を視聴することができるようになる。
【００１３】
請求項２の発明では、請求項１の発明において、前記視聴時間帯統計処理部は、所定時間毎のタイマ割込みが発生したとき、装置の主電源がオンされているか否かを判定する主電源オン判定手段と、前記主電源がオンされていると判定されたとき、現在の時間帯の部分を時間的に前記タイマによりカウントアップさせるカウントアップ手段と、前記タイマ割込みが発生してから所定時間経過したとき、前記現在の時間帯に対応させて前記カウントアップによるカウント値をメモリに格納させるカウント値格納手段とを有することを特徴とする。
【００１４】
したがって、前記視聴時間帯統計処理部は、主電源オン判定手処理、カウントアップ処理、およびカウント値格納処理を実現でき、これにより、視聴時間帯の統計を取得でき、ユーザが最も良く視聴している時間帯または比較的良く視聴している時間帯を得ることができる。
【００１５】
請求項３の発明では、請求項１の発明において、前記主電源オフ処理部は、前記主電源への電源オフ操作がされたとき、前記メモリから最大カウント値または所定の閾値以上のカウント値になる時間帯の開始時刻を検出する開始時刻検出手段と、前記開始時刻に前記主電源をオンするように前記タイマに対して前記開始時刻を設定して前記タイマを計時動作させる主電源オン時刻設定手段と、前記オン時刻設定が完了した後、前記主電源をオフさせる主電源オフ手段とを有することを特徴とする。
【００１６】
したがって、前記主電源オフ処理部は、開始時刻検出処理、主電源オン時刻設定処理、および主電源オフ処理を実現でき、これにより、最大カウント値または所定の閾値以上のカウント値になる時間帯の開始時刻を検出でき、タイマに対して前記開始時刻を設定して、前記タイマを計時動作させることができ、また、前記オン時刻設定が完了した後、主電源をオフさせることができる。
【００１７】
請求項４の発明では、請求項１の発明において、前記主電源オン処理部は、前記タイマにより計時されている時刻が前記開始時刻になることにより、前記主電源がオンされたか否かを判定する主電源オン判定手段と、前記タイマにより主電源がオンされたと判定されたとき、メモリにリジューム情報が有るか否かを判定するリジューム情報判定手段と、前記リジューム情報が有ると判定されたとき、光ディスクに対する再生を開始し、一時停止状態に設定する一時停止状態設定手段とを有することを特徴とする。
【００１８】
したがって、前記主電源オン処理部は、主電源オン判定処理、リジューム情報判定処理、および一時停止状態設定処理を実現でき、これにより、ユーザが最も良く視聴している時間帯または比較的良く視聴している時間帯の開始時刻になり、リジューム情報が有れば、一時停止状態にして待機させることができる。
【００１９】
請求項５の発明では、請求項１の発明において、前記主電源自動オフ処理部は、前記主電源がオンされてから所定時間が経過したか否かを判定する電源オン時間経過判定手段と、前記主電源がオンされてから所定時間が経過したと判定されたとき、前記主電源がオンになった要因は前記タイマにより計時されている時刻が前記開始時刻になることによるものであったか否かを判定する主電源オン要因判定手段と、前記主電源がオンになった要因は前記タイマにより計時されている時刻が前記開始時刻になることによるものであったと判定されたとき、前記主電源がオンしてから一度もキーが押下されていないか否かを判定するキー押下判定手段と、前記主電源がオンしてから一度もキーが押下されていないと判定されたとき、前記主電源をオフさせる主電源オフ手段とを有することを特徴とする。
【００２０】
したがって、前記主電源自動オフ処理部は、電源オン時間経過判定処理、主電源オン要因判定処理、キー押下判定処理、および主電源オフ処理を実現でき、これにより、主電源がオンされてから所定時間以上、キー操作がなければ、自動的に主電源をオフさせることができる。
【発明の効果】
【００２１】
以上のように本発明によれば、ユーザが最も良く視聴している時間帯または比較的良く視聴している時間帯に光ディスク再生装置を自動的に起動させることができ、これにより、ユーザは、煩わしい操作をしなくても、最も良く視聴している時間帯や比較的に良く視聴している時間帯に、起動処理待ちやローディング待ちをせずに、直ぐに光ディスクの情報を視聴することができるようになる。
【発明を実施するための最良の形態】
【００２２】
以下、添付図面を参照しつつ、本発明の実施の形態について説明する。図１は本発明の一実施形態に係る光ディスク再生装置の構成を示すブロック図である。
【００２３】
図１において、この光ディスク再生装置は、レーザ光を発光する発光素子３ａからの出射光を対物レンズ３ｂにより光ディスク（ＤＶＤやブルーレイディスクなど）１に集光して光スポットを形成し、光ディスク１からの反射光を対物レンズ３ｂを介して４分割の光検出器３ｃに入射させて光検出器３ｃからＲＦ信号を出力するように構成された光ピックアップ３を備えている。また、この光ピックアップ３は、対物レンズ３ｂを光ディスク１に対して水平方向（半径方向）に微小移動させトラッキングサーボを行うためのトラッキング用アクチュエータ３ｄと、対物レンズ３ｂを光ディスク１に対して垂直方向に微小移動させフォーカスサーボを行うためのフォーカス用アクチュエータ３ｅとを有している。
【００２４】
また、この光ディスク再生装置は、光ディスク１を回転させるスピンドルモータ２と、このスピンドルモータ２を駆動するスピンドルドライブ回路１９と、トラッキング用アクチュエータ３ｄを駆動するトラッキングドライブ回路１７と、フォーカス用アクチュエータ３ｅを駆動するフォーカスドライブ回路１６と、光ピックアップ３を光ディスク１の半径方向に移動させるスレッド４と、このスレッド４を駆動するスレッドドライブ回路１８とを備えている。
【００２５】
また、この光ディスク再生装置は、光ディスク１の再生時に光ピックアップ３からのＲＦ信号を増幅するＲＦアンプ５と、ＶＣＯ（voltage controlled oscillator）を含むＰＬＬ（phase locked loop）８を備えＲＦアンプ５からのＲＦ信号を入力してデータと同期信号を分離するデータ／同期信号分離回路６と、このデータ／同期分離回路６で分離されたデータを入力してデコード化することによりエラーチェックを行いデータに誤りがある場合はエラー訂正を行って正しいデータを出力するデータデコードエラー訂正回路９と、このデータデコードエラー訂正回路９から正しいデータを入力しデコード化してビデオ信号とオーディオ信号をビデオ出力端子２３とオーディオ出力端子２４をそれぞれ介して例えばテレビジョン受像機２２に供給するＡＶデコード回路１０とを備えている。
【００２６】
また、この光ディスク再生装置は、ＲＦアンプ５からのＲＦ信号に含まれ光ディスク１上のトラックの無いミラー面を示すミラー信号を検出してミラー面をカウントするミラー検出回路７と、光ピックアップ３からのＲＦ信号に含まれるトラッキングエラー信号をＲＦアンプ５を介して検出するトラッキングエラー検出回路１１と、光ピックアップ３からのＲＦ信号に含まれるフォーカスエラー信号をＲＦアンプ５を介して検出するフォーカスエラー検出回路１２と、トラッキングエラー検出回路１１からのトラッキングエラー信号に基づいてトラッククロスを検出してトラックパルスを出力するトラッククロス検出回路１３と、システムコントローラ１４の処理に必要なデータを格納するメモリ２０とを備えている。
【００２７】
また、この光ディスク再生装置には、この装置本体の前面などに設けられ装置電源のオン／オフ操作や再生に関する各種操作などを行うための複数のキーを有した操作部２５が備えられている。この操作部２５は、リモコン（リモートコントローラ）２６からの操作指令を示す光信号を受信する受光手段（図示せず）を備え、この受光手段により光信号を電気信号に変換してシステムコントローラ１４に指令信号を入力する。リモコン２６は、操作部２５よりもキーの個数が多く、装置電源のオン／オフ操作や再生に関する各種操作などを行うための複数のキー（図示せず）を有している。
【００２８】
また、この光ディスク再生装置は、装置全体の処理を行うＣＰＵ１５に従って上記各構成要素を制御するシステムコントローラ１４を備えている。このシステムコントローラ１４は、光ピックアップ３からのＲＦ信号に含まれるフォーカスエラー信号に基づいて光ピックアップ３のフォーカスサーボのための制御、光ピックアップ３からのＲＦ信号に含まれるトラッキングエラー信号に基づいて光ピックアップ３のトラッキングサーボのための制御、操作部２５やリモコン２６からの再生指示信号に従って光ディスク１の再生位置を決めるためスレッドドライブ回路１８を介してスレッド４を駆動して光ピックアップ３を光ディスク１の半径方向に移動させる制御、操作部２５やリモコン２６からの操作信号によりスピンドルドライブ回路１９を介してスピンドルモータ２を回転させる制御などを行う。
【００２９】
システムコントローラ１４は、装置全体の制御を行うためのメインマイコン（メイン・マイクロコンピュータ）２７と電源管理マイコン２８を備えている。メインマイコン２７は主電源回路３０による主電源により動作し、電源管理マイコン２８は待機電源回路２９による待機電源により動作する。待機電源回路２９は、主電源がオフ時に、電源管理マイコン２８、タイマ２１、操作部２５などに待機電源を供給するものである。主電源回路３０は、リモコン２６の電源キーが押下されたときに動作し、装置内の各回路に主電源を供給するものである。なお、タイマ２１は、ここでは、時間帯の部分を時間的にカウントアップする機能、時間帯の開始時刻になれば信号を出力する機能、主電源がオンされてから所定時間が経過したとき信号を出力する機能など、複数の機能を備えている。
【００３０】
更に、システムコントローラ１４は、メインマイコン２７の処理により実現される視聴時間帯統計処理部３１と主電源オフ処理部３２と主電源オン処理部３３と主電源自動オフ処理部３４の機能を備えている。視聴時間帯統計処理部３１は、所定時間毎のタイマ割込みが発生したとき、主電源回路３０による主電源がオンされているか否かを判定する主電源オン判定手段と、前記主電源がオンされていると判定されたとき、現在の時間帯の部分を時間的にタイマ２１によりカウントアップさせるカウントアップ手段と、前記タイマ割込みが発生してから所定時間経過したとき、前記現在の時間帯に対応させて前記カウントアップによるカウント値をメモリ（フラッシュＲＯＭ等）２０に格納させるカウント値格納手段とを有する。なお、ここでは、メモリ２０を別に設けた構成にしているが、メインマイコン２７に含まれるメモリ（図示せず）を用いても良い。
【００３１】
主電源オフ処理部３２は、前記主電源への電源オフ操作がされたとき、メモリ２０から最大カウント値または所定の閾値以上のカウント値になる時間帯の開始時刻を検出する開始時刻検出手段と、前記開始時刻に前記主電源をオンするようにタイマ２１に対して前記開始時刻を設定してタイマ２１を計時動作させる主電源オン時刻設定手段と、前記オン時刻設定が完了した後、前記主電源をオフさせる主電源オフ手段とを有する。
【００３２】
主電源オン処理部３３は、タイマ２１により計時されている時刻が前記開始時刻になることにより、前記主電源がオンされたか否かを判定する主電源オン判定手段と、タイマ２１により主電源がオンされたと判定されたとき、メモリ２０にリジューム情報が有るか否かを判定するリジューム情報判定手段と、前記リジューム情報が有ると判定されたとき、光ディスク１に対する再生を開始し、一時停止状態に設定する一時停止状態設定手段とを有する。
【００３３】
主電源自動オフ処理部３４は、前記主電源がオンされてから所定時間が経過したか否かを判定する電源オン時間経過判定手段と、前記主電源がオンされてから所定時間が経過したと判定されたとき、前記主電源がオンになった要因はタイマ２１により計時されている時刻が前記開始時刻になることによるものであったか否かを判定する主電源オン要因判定手段と、前記主電源がオンになった要因はタイマ２１により計時されている時刻が前記開始時刻になることによるものであったと判定されたとき、前記主電源がオンしてから一度もキー（リモコン２６の電源キー以外のキーあるいは操作部２５の電源キー以外のキー）が押下されていないか否かを判定するキー押下判定手段と、前記主電源がオンしてから一度もキーが押下されていないと判定されたとき、前記主電源をオフさせる主電源オフ手段とを有する。
【００３４】
図２は本実施形態においてユーザが光ディスク再生装置の主電源をオンして光ディスクの情報を再生させ、視聴した時間帯を統計し取得した視聴時間統計結果の一例をグラフ表示した図である。この図２では、９時５０分から１１時３０分までの時間帯での視聴の割合を示している。この図２によれば、１０時４０分から１０時５０分の時間帯の視聴の割合が最大になっている。この視聴時間統計結果の例では、１０分毎のタイマ割込みに応答してタイマがカウントアップして得られたカウント値が視聴の割合に対応する。したがって、一日のうちで１０時４０分から１０時５０分の時間帯でユーザが光ディスク再生装置の主電源を入れて、光ディスク１の情報を再生させ、視聴したときが最も多いことになる。
【００３５】
図３は本実施形態において視聴時間帯統計処理部が実行する視聴時間統計ルーチンの処理を示すフローチャートである。このフローチャートおよび図１、図２を参照して視聴時間統計ルーチンの処理について説明する。
【００３６】
この視聴時間統計ルーチンでは、適当な時間、例えば、１０分単位で、光ディスク再生装置の主電源がオンしている時間帯をカウントし、このカウント値の中から最も良く視聴している時間帯を統計し取得する。なお、ここでの説明では、最も良く視聴している時間帯を統計し取得しているが、比較的良く視聴している時間帯を取得するため所定の閾値以上の時間帯を統計し取得しても良い。所定の閾値以上の時間帯は、閾値の設定レベルによっては、複数個存在することもあるので、例えば、朝１回、夜１回において、所定の閾値以上の時間帯があれば、１日に２回、光ディスク再生装置の主電源がオンされることになる。
【００３７】
さて、視聴時間帯統計処理部３１において、主電源オン判定手段は、例えば、１０分毎のタイマ割込みが発生したことを検出したとき（ステップＡ１）、主電源回路３０による主電源がオンされているか否かを判定する（ステップＡ２）。前記主電源がオンされていると判定されたとき、カウントアップ手段は、現在の時間帯の部分を時間的にタイマ２１によりカウントアップさせる（ステップＡ３）。なお、タイマ２１によるカウントアップは、自動的に主電源がオンされている時間帯、および通常に主電源がオンされている時間帯に実行される。
【００３８】
前記タイマ割込みが発生してから１０分経過したことが、タイマ２１の時間信号により検出されたとき（ステップＡ４）、カウント値格納手段は、前記現在の時間帯に対応させて前記カウントアップによるカウント値をメモリ２０に格納させる（ステップＡ５）。ステップＡ１〜ステップＡ５の処理が繰り返され、カウント値の中から最も良く視聴している時間帯を統計し取得することが可能になる。
【００３９】
図４は本実施形態において主電源オフ処理部が実行する主電源オフルーチンの処理を示すフローチャートである。このフローチャートおよび図１、図２を参照して主電源オフルーチンの処理について説明する。
【００４０】
この光ディスク再生装置の主電源がオンしている状態において、その主電源をオフするため、ユーザがリモコン２６の電源キーを押下すると、主電源オフ処理部３２の開始時刻検出手段は、主電源のオフ操作されたことを検出し（ステップＢ１）、メモリ２０から最大カウント値になる時間帯の開始時刻（図２に示す例の場合、１０時４０分）を検出する（ステップＢ２）。そして、主電源オフ処理部３２の主電源オン時刻設定手段は、前記開始時刻に主電源をオンするようにタイマ２１に対して前記開始時刻を設定してタイマ２１を計時動作させる。即ち、主電源オン時刻設定手段は、前記開始時刻にメインマイコン２７の電源（主電源回路３０による主電源）を入れるように電源管理マイコン２８に要求してタイマ２１に対して前記開始時刻を設定して（オン時刻設定して）、タイマ２１を計時動作させる（ステップＢ３）。
【００４１】
次に、主電源オフ処理部３２の主電源オフ手段は、前記オン時刻設定が完了した後、主電源回路３０の動作を停止させ、主電源をオフさせる。即ち、主電源オフ手段は、電源管理マイコン２８にメインマイコン２７の電源（主電源回路３０による主電源）を切るように要求して（ステップＢ４）、主電源回路３０の動作を停止させ、メインマイコン２７の電源をオフさせる（ステップＢ５）。
【００４２】
図５は本実施形態において主電源オン処理部が実行する主電源オンルーチンの処理を示すフローチャートである。このフローチャートおよび図１、図２を参照して主電源オンルーチンの処理について説明する。
【００４３】
主電源回路３０が動作して主電源がオンされ、この主電源がメインマイコン２７などの電源として供給されると、主電源オン処理部３３の主電源オン判定手段は、タイマ２１により計時されている時刻が前記開始時刻になることにより、主電源がオンされたか否かを判定する（ステップＣ１）。タイマ２１により主電源がオンされたと判定されたとき、主電源オン処理部３３のリジューム情報判定手段は、メモリ２０にリジューム情報が有るか否かを判定する（ステップＣ２）。
【００４４】
前記リジューム情報が有ると判定されたとき、主電源オン処理部３３の一時停止状態設定手段は、光ディスク１に対する再生を開始し、一時停止状態に設定する（ステップＣ３）。前記リジューム情報が無いと判定されたとき、主電源オン処理部３３は、オープニング画面をテレビジョン受像機２２のディスプレイ装置２２ａに表示させる（ステップＣ５）。なお、タイマ２１による主電源オンでないと判定されたときは（ステップＣ１）、通常通り、主電源オン処理部３３は、オープニング画面をディスプレイ装置２２ａに表示させる（ステップＣ４）。
【００４５】
図６は本実施形態において主電源自動オン処理部が実行する主電源自動オンルーチンの処理を示すフローチャートである。このフローチャートおよび図１、図２を参照して主電源自動オンルーチンの処理について説明する。
【００４６】
主電源自動オフ処理部３４の電源オン時間経過判定手段は、主電源がオンされてから所定時間が経過したか否かを判定する（ステップＤ１）。即ち、主電源がオンされると、タイマ２１が計時動作を開始し、所定時間が経過すると、タイマ２１から信号が出力され、この信号を入力した電源オン時間経過手段は、所定時間を経過したと判定する。このように主電源がオンされてから所定時間が経過したと判定されたとき、主電源自動オフ処理部３４の主電源オン要因判定手段は、メインマイコン２７の起動要因（主電源がオンになった要因）はタイマ２１により計時されている時刻が前記開始時刻になることによるものであったか否かを判定する（ステップＤ２）。
【００４７】
メインマイコン２７の起動要因（主電源がオンになった要因）は、タイマ２１により計時されている時刻が前記開始時刻になることによるものであったと判定されたとき、主電源自動オフ処理部３４のキー押下判定手段は、主電源がオンしてから一度もキーが押下されていないか否かを判定する（ステップＤ３）。主電源がオンしてから一度もキーが押下されていないと判定されたとき、主電源自動オフ処理部３４の主電源オフ手段は、主電源回路３０を動作停止させ、主電源をオフさせる（ステップＤ４）。
【００４８】
一方、ステップＤ２において、メインマイコン２７の起動要因はタイマ２１によるものではなかったと判定されたとき、またはステップＤ３において主電源がオンしてから一度はキーが押下されていると判定されたときは、メインマイコン２７は状態を継続する（ステップＤ５）。
【００４９】
以上説明したように本実施形態によれば、ユーザが最も良く視聴している時間帯、または比較的良く視聴している時間帯に、光ディスク再生装置を自動的に起動させることができ、これにより、ユーザは、煩わしい操作をしなくても、最も良く視聴している時間帯、または比較的良く視聴している時間帯に、起動処理待ちやローディング待ちをせずに、直ぐに光ディスクの情報を視聴することができるようになる。
【産業上の利用可能性】
【００５０】
本発明は、ＤＶＤやブルーレイディスクなどの情報を再生する光ディスク再生装置における主電源制御機能に利用可能である。
【図面の簡単な説明】
【００５１】
【図１】本発明の一実施形態に係る光ディスク再生装置の構成を示すブロック図である。
【図２】前記実施形態においてユーザが光ディスク再生装置をオンして光ディスクの情報を再生させ視聴した時間帯を統計し取得した視聴時間統計結果の一例をグラフ表示した図である。
【図３】前記実施形態において視聴時間帯統計処理部が実行する視聴時間統計ルーチンの処理を示すフローチャートである。
【図４】前記実施形態において主電源オフ処理部が実行する主電源オフルーチンの処理を示すフローチャートである。
【図５】前記実施形態において主電源オン処理部が実行する主電源オンルーチンの処理を示すフローチャートである。
【図６】前記実施形態において主電源自動オン処理部が実行する主電源自動オンルーチンの処理を示すフローチャートである。
【符号の説明】
【００５２】
１    光ディスク
２１    タイマ
２２ａ    ディスプレイ装置
３１    視聴時間帯統計処理部
３２    主電源オフ処理部
３３    主電源オン処理部
３４    主電源自動オフ処理部
【図１】
2009026421.tif 000003
【図２】
2009026421.tif 000004
【図３】
2009026421.tif 000005
【図４】
2009026421.tif 000006
【図５】
2009026421.tif 000007
【図６】
2009026421.tif 000008